(57)【特許請求の範囲】
【請求項１】
湾曲面の透明体とこの透明体を支持する基板とからなる立体型の眼球模型であって、瞳孔の部分に防犯カメラ及びＬＥＤの少なくともいずれかが臨むように設けられ、眼球模型の内側に瞳孔に連なる略円板状の虹彩が設けられ、この虹彩に蛍光顔料が塗布されており、少なくとも瞳孔及び虹彩以外の部分の基板が白色であることを特徴とする防犯用の眼球模型。
【請求項２】
透明体が、プラスチックス及び強化ガラスのいずれかである請求項１記載の防犯用の眼球模型。
【請求項３】
蛍光顔料塗布部が、茶色、黒色及び青色のいずれかである請求項１又は２記載の防犯用の眼球模型。
【請求項４】
基板を白色とする代りに、瞳孔及び虹彩以外の透明体の部分が白色に着色された請求項１、２又は３記載の防犯用の眼球模型。
【発明の詳細な説明】
【技術分野】
【０００１】
本発明は、例えば、ゴミ等の不法投棄や自転車等の盗難などの犯罪を防止するための眼球模型に関するものである。
【背景技術】
【０００２】
近年、ゴミ等の不法投棄や自転車等の盗難などの犯罪が問題となっているが、「人の目」があるだけでこれらの犯罪が抑止されることはよく知られている。また、こちらを見つめる「人の目」を模した絵を掲示するだけで、人々に行儀よくふるまわせたり、正しい行動をとらせたりする効果があるという研究結果もある。
【０００３】
そこで、従来は、ゴミ等の不法投棄や自転車等の盗難などの犯罪が起きやすい現場に、人の眼球がこちらを見つめるポスターやステッカーを貼付したり、下記の特許文献１のように眼球型の防犯カメラを設置することが行われていた。
【先行技術文献】
【特許文献】
【０００４】
【特許文献１】実開平６−５１９９５号公報
【発明の概要】
【発明が解決しようとする課題】
【０００５】
従来のポスターやステッカーでは、平面的なものであるため、「人の目」に見られているという迫力やリアルさがなく、犯人を威嚇することができず、防犯の効果が少なかった。
【０００６】
また、上記の特許文献１のような眼球模型は、部品が多すぎるなど眼球のリアルさに欠ける上、白目と黒目との区別が色彩上明確でないなどのため、やはり、「人の目」に見られているという迫力やリアルさがなく、犯人を威嚇することができず、防犯の効果が少なかった。
【０００７】
本発明は前記事項に鑑みなされたものであり、人の眼球をリアルに模した模型とすることにより、「人の目」に見られているという迫力やリアルさがあり、防犯の効果が高くなる防犯用の眼球模型を提供することにある。
【課題を解決するための手段】
【０００８】
本発明の防犯用の眼球模型は、湾曲面の透明体とこの透明体を支持する基板とからなる立体型の眼球模型であって、瞳孔の部分に防犯カメラ及びＬＥＤ（発光ダイオード）の少なくともいずれかを臨ませ、眼球模型の内側に瞳孔に連なる略円板状の虹彩を設け、この虹彩に蛍光顔料を塗布し、少なくとも瞳孔及び虹彩（黒目から瞳孔を除いた部分）以外の部分の基板を白色としてなることを特徴としている。
【０００９】
上記の防犯用の眼球模型において、透明体を、例えば、プラスチックス及び強化ガラスのいずれかとすることができる。なお、透明体をプラスチックスや強化ガラス以外の材料とすることも勿論可能である。
【００１０】
また、上記の防犯用の眼球模型において、蛍光顔料塗布部を、例えば、茶色、黒色及び青色のいずれかとすることができる。なお、蛍光顔料塗布部を茶色、黒色、青色以外の色とすることも勿論可能である。
【００１１】
また、上記の防犯用の眼球模型において、基板を白色とする代りに、瞳孔及び虹彩（黒目から瞳孔を除いた部分）以外の透明体の部分を白色に着色してもよい。また、瞳孔に連なる略円板状の虹彩を設ける代りに、透明体の瞳孔の周りに虹彩を描き、蛍光顔料を塗布するようにしてもよい。また、瞳孔は黒色又は黒に近い色に着色することもある。さらに、瞳孔の部分を透明体とする代りに、透孔として構成してもよい。
【００１２】
また、本発明の防犯用の眼球模型は、湾曲面の金属体とこの金属体を支持する基板とからなる立体型の眼球模型であって、瞳孔の部分に設けた透孔に防犯カメラ及びＬＥＤ（発光ダイオード）の少なくともいずれかを眼球模型の内側から臨ませ、金属体の瞳孔の周りに略円板状の虹彩を描き、この虹彩に蛍光顔料を塗布してなることを特徴としている。この場合、金属体は白色又は白に近い色に着色してもよい。
【発明の効果】
【００１３】
本発明の防犯用の眼球模型は、白目、瞳孔、虹彩を色彩で明確に区別しているので、人の眼球らしくなって、「人の目」に見られているという迫力やリアルさがあり、犯人を威嚇することができるので、防犯の効果が大きい。
【図面の簡単な説明】
【００１４】
【図１】図１は、本発明の防犯用の眼球模型の一例を示す正面説明図である。
【図２】図２は、図１に示す防犯用の眼球模型におけるＡ−Ａ線断面図である。
【発明を実施するための形態】
【００１５】
ゴミ等の不法投棄や自転車等の盗難などの犯罪が起きやすい現場において、人の眼球をリアルに模した模型を設置することにより、犯人が「人の目」に見られているということを感じて畏怖し、これにより犯人を威嚇することができて、防犯の効果が大きくなる防犯用の眼球模型を提供する。
【００１６】
そして、模型を人の眼球らしくする等して防犯の効果の高めるために、透明体からなる立体型の眼球模型とし、瞳孔の部分に防犯カメラ及びＬＥＤ（発光ダイオード）の少なくともいずれかを臨ませ、眼球模型の内側に瞳孔に連なる略円板状の虹彩を設け、この虹彩に蛍光顔料を塗布し、瞳孔及び虹彩（黒目から瞳孔を除いた部分）以外の部分の基板を白色としている。
【実施例１】
【００１７】
以下、本発明の実施の形態について図面に基づいて説明するが、本発明は下記の実施の形態に何ら限定されるものではなく、適宜変更して実施できるものである。例えば、犯罪が起きやすい現場は、ゴミ等の不法投棄や自転車等の盗難が起きやすい場所に限られるものではなく、あらゆる犯罪が起きやすい場所が含まれる。また、犯罪が起きやすい場所だけでなく、公共の場所などで人々を行儀よくふるまわせたり、正しい行動をとらせたりするために、本発明の防犯用の眼球模型を設置することも可能である。そして、眼球模型の設置方法としては、例えば、模型に台座等を取り付けて置き型のものとしたり、模型にフック（吊り具）等を取り付けて吊り型のものとしたりすることができる。
【００１８】
図１は、本発明の防犯用の眼球模型の一例を示している。そして、図２は、図１に示す眼球模型のＡ−Ａ線断面図である。本発明の眼球模型は、人の眼と同様の曲面を有する透明体１０を白色の基板１２に取り付けて構成されている（白目の部分）。透明体１０の中心部付近には瞳孔１４及び虹彩１６（黒目から瞳孔１４を除いた部分）が設けられており、瞳孔１４の部分には防犯カメラ１８が内蔵されている。虹彩１６は、例えば、蛍光顔料が塗布されており、瞳孔１４に連なる略円板状のものとして眼球模型の内側に設けられている。なお、防犯カメラ１８の代りにＬＥＤ（発光ダイオード）照明を設けてもよいし、防犯カメラ１８としてＬＥＤ照明付きの防犯カメラを設けてもよい。防犯カメラを設ける場合は、防犯のみならず犯罪等の監視が可能となる。ＬＥＤ照明を設ける場合は、模型の眼が光ることにより、犯人をより威嚇することができ、防犯の効果をより大きくすることができる。なお、ＬＥＤ以外の発光手段を用いることも勿論可能である。
【００１９】
透明体１０としては、例えば、プラスチックス、強化ガラス等の材料を用いることができる。なお、透明体１０として、プラスチックスや強化ガラス以外の材料を用いることも勿論可能である。また、虹彩１６の蛍光顔料塗布部は、人の眼らしくするために、例えば、茶色、黒色、青色等とすることができる。なお、虹彩１６の蛍光顔料塗布部を茶色、黒色、青色以外の色とすることも勿論可能である。
【００２０】
また、基板１２を白色とする代りに、瞳孔１４及び虹彩１６（黒目から瞳孔１４を除いた部分）以外の透明体１０の部分を白色に着色してもよい。さらに、瞳孔１４及び虹彩１６（黒目から瞳孔１４を除いた部分）以外の透明体１０の部分に赤色で毛細血管を描いてもよい。白目の部分に血管が浮き出ることにより、より迫力ある人の眼のようになり、犯人をより威嚇することができ、防犯の効果をより大きくすることができる。また、眼球模型にまぶたやまつ毛を設けてもよい。これにより、リアルな人の眼のようになり、犯人をより威嚇することができ、防犯の効果をより大きくすることができる。
【００２１】
また、瞳孔１４に連なる略円板状の虹彩１６を設けずに、透明体１０の瞳孔１４の周りに直接、虹彩を描き、ここに蛍光顔料を塗布するようにしてもよい。また、瞳孔１４は黒色又は黒に近い色に着色することもある。さらに、瞳孔１４の部分を透孔としてもよい。
【実施例２】
【００２２】
本発明の眼球模型の他の例としては、人の眼と同様の曲面を有する板状の金属体を基板に取り付けて構成されたものがある。金属体の中心部付近には瞳孔が設けられており、瞳孔の部分は透孔となっている。そして、この瞳孔の部分には防犯カメラが内蔵されている。金属体の瞳孔の周りには略円板状の虹彩が描かれており、虹彩には、例えば、蛍光顔料が塗布されている。なお、防犯カメラの代りにＬＥＤ（発光ダイオード）照明を設けてもよいし、防犯カメラとしてＬＥＤ照明付きの防犯カメラを設けてもよい。なお、ＬＥＤ以外の発光手段を用いることも勿論可能である。
【００２３】
この場合、金属体は白色又は白に近い色に着色してもよい。また、金属体としては、例えば、鉄、ニッケル、アルミニウム、銅及びこれらの合金、その他汎用的に用いられるあらゆる金属及び合金等を用いることができる。また、虹彩の蛍光顔料塗布部は、人の眼らしくするために、例えば、茶色、黒色、青色等とすることができる。なお、虹彩の蛍光顔料塗布部を茶色、黒色、青色以外の色とすることも勿論可能である。他の構成及び作用等は、実施例１の場合と同様である。
【産業上の利用可能性】
【００２４】
例えば、ゴミ等の不法投棄や自転車等の盗難などの犯罪が起きやすい現場において、人の眼球をリアルに模した本発明の眼球模型を設置することにより、犯人が「人の目」に見られているということを感じて畏怖し、これにより犯人を威嚇することができて、防犯の効果が大きくなる。
【符号の説明】
【００２５】
１０  透明体
１２  基板
１４  瞳孔
１６  虹彩
１８  防犯カメラ
【要約】
【課題】人の眼球をリアルに模した模型とすることにより、「人の目」に見られているという迫力やリアルさがあり、防犯の効果が高くなる防犯用の眼球模型を提供する。
【解決手段】湾曲面の透明体１０とこの透明体１０を支持する基板１２とからなる立体型の眼球模型であって、瞳孔１４の部分に防犯カメラ１８及びＬＥＤ（発光ダイオード）の少なくともいずれかを臨ませ、眼球模型の内側に瞳孔１４に連なる略円板状の虹彩１６を設け、この虹彩１６に蛍光顔料を塗布し、少なくとも瞳孔１４及び虹彩１６（黒目から瞳孔１４を除いた部分）以外の部分の基板１２を白色としてなるか、あるいは、瞳孔１４及び虹彩１６（黒目から瞳孔１４を除いた部分）以外の透明体１０の部分を白色に着色してなるように構成する。
【選択図】  図１【図１】
0005851561.tif 000002
【図２】
0005851561.tif 000003